(57)【特許請求の範囲】
【請求項１】
前側に第一装飾部が設けられた第一演出部材と、
前記第一演出部材と上下方向に並ぶように近接して位置することで、当該第一演出部材と一体的な演出形態を構築することが可能であり、前側に第二装飾部が設けられた第二演出部材と、
を備え、
前記第一装飾部は、その前後方向位置が、左方端側から右方端側にかけて後方となる形状であり、
前記第二装飾部は、その前後方向位置が、左方端側から右方端側にかけて前方となる形状であり、
前記第一装飾部の左方端は、前記第二装飾部の左方端よりも前方に位置し、
前記第一装飾部の右方端は、前記第二装飾部の右方端よりも後方に位置する
ことを特徴とする遊技機。
【請求項２】
前記第二装飾部は、その左方端側または右方端側に、前記第一装飾部側に突出した突出部を含み、
前記一体的な演出形態が構築された状態において、前記第二装飾部の前記突出部と前記第一装飾部が左右方向に並ぶことを特徴とする請求項１に記載の遊技機。
【発明の詳細な説明】
【技術分野】
【０００１】
本発明は、前側に装飾部が設けられた演出部材を備える遊技機に関する。
【背景技術】
【０００２】
下記特許文献１等に記載されるように、前側に文字等の装飾が施された演出部材を備えた遊技機が公知である。この種の演出部材は、装飾が平面的に構築されているため、真正面以外の方向からの見た目がみすぼらしいものとなってしまうことがある。
【先行技術文献】
【特許文献】
【０００３】
【特許文献１】特開２００８−５１２号公報
【発明の概要】
【発明が解決しようとする課題】
【０００４】
本発明の目的は、前側に装飾部が設けられた演出部材を備えた遊技機において、当該演出部材の外観向上を図ることにある。
【課題を解決するための手段】
【０００５】
上記課題を解決するためになされた請求項１の発明にかかる遊技機は、前側に第一装飾部が設けられた第一演出部材と、前記第一演出部材と上下方向に並ぶように近接して位置することで、当該第一演出部材と一体的な演出形態を構築することが可能であり、前側に第二装飾部が設けられた第二演出部材と、を備え、前記第一装飾部は、その前後方向位置が、左方端側から右方端側にかけて後方となる形状であり、前記第二装飾部は、その前後方向位置が、左方端側から右方端側にかけて前方となる形状であり、前記第一装飾部の左方端は、前記第二装飾部の左方端よりも前方に位置し、前記第一装飾部の右方端は、前記第二装飾部の右方端よりも後方に位置することを特徴とする。
【０００７】
請求項２に記載の発明は、請求項１に記載の遊技機において、前記第二装飾部は、その左方端側または右方端側に、前記第一装飾部側に突出した突出部を含み、前記一体的な演出形態が構築された状態において、前記第二装飾部の前記突出部と前記第一装飾部が左右方向に並ぶことを特徴とする。
【発明の効果】
【０００９】
請求項１に記載の発明は、第一装飾部の前後方向位置が、左方端側から右方端側にかけて後方となり、第二装飾部の前後方向位置が、左方端側から右方端側にかけて前方となるように構成されている。つまり、両装飾部は、一方（左方）から他方（右方）にかけてだんだんと前方にせり出すまたは後方に引いていく形状であるため、真正面以外の方向から見たときの外観を立体感のあるものとすることが可能である。また、第一装飾部と第二装飾部の左方から右方にかけての位置の変化が逆であるため、両者が近接した一体的な演出形態が構築された際、当該演出形態を真正面以外の方向から見たときの態様を面白みのあるものとすることが可能である。このように、真正面以外の方向からの見た目（外観）を向上させることが可能である。
【００１０】
また、第一装飾部の左方端が第二装飾部の左方端よりも前方に位置し、第一装飾部の右方端が第二装飾部の右方端よりも後方に位置する、すなわち、前後方向において両装飾部が交差するような態様とすれば、両者が近接した一体的な演出形態が構築された際、当該演出形態を真正面以外の方向から見たときの態様をさらに面白みのあるものとすることが可能である。
【００１１】
請求項２に記載の発明のように、一体的な演出形態が構築された状態において第二装飾部の突出部と第一装飾部が左右方向に並ぶようにすれば、第二装飾部の突出部と第一装飾部の一方端との間で段差が生じるから、一体的な演出形態の外観の立体感をさらに向上させることが可能である。
【図面の簡単な説明】
【００１３】
【図１】本発明の一実施形態にかかる遊技機の正面図であり、第一演出部材および第二演出部材が待機位置に位置した状態を示したものである（発射装置（発射ハンドル）等公知の部材は省略）。
【図２】本発明の一実施形態にかかる遊技機の正面図であり、第一演出部材および第二演出部材が進出位置に位置し、一体的な演出形態が構築された状態を示したものである（発射装置（発射ハンドル）等公知の部材は省略）。
【図３】（ａ）は図２に示すＡ方向から見た演出部材の大小関係を示す模式図（第二演出部材を点線で示す）であり、（ｂ）は図２に示すＢ方向から見た演出部材の大小関係を示す模式図（第一演出部材を点線で示す）である。
【図４】一体的な演出形態を構築する第一演出部材および第二演出部材の外観を模式的に示した図である。
【図５】傾斜した形状の装飾部を有する演出部材を示した模式図である。
【発明を実施するための形態】
【００１４】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１の左右方向を、上下方向とは図１の上下方向をいうものとする。
【００１５】
まず、図１および図２を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１６】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１７】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１８】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。なお、本実施形態にかかる遊技機１は、いわゆるぱちんこ遊技機であるが、スロットマシン等、他の種類の遊技機であってもよい。
【００１９】
本実施形態にかかる遊技機１は、図１〜図４に示す第一演出部材１０および第二演出部材２０を備える。両演出部材は、所定の範囲を移動可能に設けられたいわゆる駆動役物である。両演出部材の前側には装飾が施されている（第一演出部材１０の装飾を第一装飾部１１、第二演出部材２０の装飾を第二装飾部２１と称する）。本実施形態では、両装飾部とも装飾文字列によって構成されている。本実施形態における両演出部材は、左右方向に細長い部材であって、少なくとも、表示装置の上側に位置する待機位置（図１参照）から、表示装置の前側で重なる進出位置（図２参照）まで移動することが可能である。進出位置よりさらに下方に移動することができるものであってもよい。このように演出部材を移動させることができるのであれば、その駆動機構はどのような構成であってもよいため、当該駆動機構については説明を省略する。
【００２０】
第一演出部材１０は第二演出部材２０よりも下側に、第二演出部材２０は第一演出部材１０よりも上側に位置する。両演出部材が待機位置に位置するとき、第一演出部材１０と第二演出部材２０互いに沿うようにして近接する。第二演出部材２０は第一演出部材１０よりも上側に位置するから、第一演出部材１０が進出位置に向かって移動しない限り、第二演出部材２０が進出位置に向かって移動することはできない。
【００２１】
両演出部材は、進出位置においても上下方向に並ぶように近接する。これにより、両演出部材が一体的な演出形態を構築する。なお、一体的な演出形態とは、両演出部材の装飾部が組み合わされてあたかも一体となったかのような態様をいう。また、本実施形態では待機位置においても両演出部材が上下方向に並ぶように近接するため、当該状態でも一体的な演出形態を構築していると言える。待機位置においては両演出部材が離れて位置し、両演出部材が所定の位置に位置したときに近接する構成としてもよい。また、待機位置において両演出部材が一体的な演出形態を構築し、待機位置以外の位置では両演出部材が離れた状態となる構成としてもよい。本実施形態では、一体的な演出形態が構築された際、第一装飾部１１を構成する装飾文字列と第二装飾部２１を構成する装飾文字列が組み合わされた別の装飾文字列を構成する。
【００２２】
第一装飾部１１および第二装飾部２１は次のような形状を有する。なお、第一演出部材１０および第二演出部材２０は、平面方向に沿ってスライドするため、移動範囲におけるどの位置に位置していても、装飾部の前後方向位置が変化することはない。
【００２３】
図３に示すように、第一装飾部１１は、その前後方向における位置が同じではない（フラットではない）。第一装飾部１１の前後方向位置は、左端（一方端１１１）側から右端（他方端１１２）側にかけて後方となる（なお、本明細書における、一方・他方は端部の方向を区別するための形式的なもの（一方が他方の反対側であることを示すもの）であり、ある特定の方向をいうものではない。以下同じ）。第一演出部材１０の下面は遊技領域に沿う（前後方向に直交する）ため、第一演出部材１０全体でみれば左端から右端にかけて薄くなっていく形状となる。本実施形態における第一装飾部１１は、左右方向に並ぶ複数の装飾文字によって構成されており、左の装飾文字から右の装飾文字にかけて階段状に後方に変位する形状となっている。
【００２４】
図４に示すように、第二装飾部２１は、第一装飾部１１と同様、その前後方向における位置が同じではない（フラットではない）。第二装飾部２１の前後方向位置は、左端（一方端２１１）側から右端（他方端２１２）側にかけて前方となる。第二演出部材２０の下面は遊技領域に沿う（前後方向に直交する）ため、第二演出部材２０全体でみれば左端から右端にかけて厚くなっていく形状となる。本実施形態における第二装飾部２１は、左右方向に並ぶ複数の装飾文字によって構成されており、左の装飾文字から右の装飾文字にかけて階段状に前方に変位する形状となっている。
【００２５】
図３〜図５に示すように、第一装飾部１１の左端（一方端１１１）は、第二装飾部２１の左端（一方端２１１）よりも前方に位置する。また、第一装飾部１１の右端（他方端１１２）は、第二装飾部２１の右端（他方端２１２）よりも後方に位置する。つまり、真上または真下から両装飾部をみれば、第一装飾部１１の輪郭線と第二装飾部２１の輪郭線が交差する態様である。
【００２６】
このように、本実施形態における両演出部材は、第一装飾部１１の前後方向位置が、一方端１１１（左端）側から他方端１１２（右端）側にかけて後方となり、第二装飾部２１の前後方向位置が、一方端２１１（左端）側から他方端２１２（右端）側にかけて前方となるように構成されている。つまり、両装飾部は、一方（他方）から他方（一方）にかけてだんだんと前方にせり出すまたは後方に引いていく形状であるため、真正面以外の方向から見たときの外観を立体感のあるものとすることが可能である。また、第一装飾部１１と第二装飾部２１の一方から他方にかけての位置の変化が逆であるため、両者が近接した一体的な演出形態が構築された際、当該演出形態を真正面以外の方向から見たときの態様を面白みのあるものとすることが可能である。このように、真正面以外の方向からの見た目（外観）を向上させることが可能である。
【００２７】
そして、第一装飾部１１の一方端１１１（左端）が第二装飾部２１の一方端２１１（左端）よりも前方に位置し、第一装飾部１１の他方端１１２（右端）が第二装飾部２１の他方端２１２（右端）よりも後方に位置する、すなわち、前後方向において両装飾部が交差するような態様であるため、両者が近接した一体的な演出形態が構築された際、当該演出形態を真正面以外の方向から見たときの態様をさらに面白みのあるものとすることが可能である。
【００２８】
また、本実施形態における第二装飾部２１（第二演出部材２０）は、一方端２１１側にその他の部分に比して幅広である部分を有する。具体的には、第一装飾部１１（第一演出部材１０）側に突出する突出部２１１ａ（その他の部分よりも下方に突出する部分）を含む形状であり、一体的な演出形態が構築された状態において、突出部２１１ａの少なくとも一部は、上下方向における位置が第一装飾部１１と一致する。つまり、幅方向（本実施形態における所定方向に相当する）において、第二装飾部２１の突出部２１１ａと第一装飾部１１が並ぶ（図２、図４参照）。
【００２９】
突出部２１１ａは第二装飾部２１の一方端２１１側に位置するため、その前後方向位置は、第一装飾部１１の一方端１１１側よりも後方に位置する。つまり、一体的な演出形態が構築された状態において、第二装飾部２１の突出部２１１ａと第一装飾部１１の一方端１１１との境界には段差が生じる（図４参照）。これにより、一体的な演出形態が立体感のあるものとなる。つまり、本実施形態では、両装飾部の一方端側の前後方向位置が異なることを利用して、一方の装飾部に他方の装飾部側に突出した部分（一体的な演出形態が構築されたときに所定の方向で他方の装飾部と並ぶ部分）を設けることにより、一体的な演出形態の立体感を向上させている。
【００３０】
以上、本発明の実施の形態について詳細に説明したが、本発明は上記実施の形態に何ら限定されるものではなく、本発明の要旨を逸脱しない範囲で種々の改変が可能である。
【００３１】
上記実施形態にかかる遊技機１は、第一演出部材１０と第二演出部材２０を備え、両演出部材の装飾部が前後方向において交差するような形状であることを説明したが、一方の演出部材の装飾部のみが一方端側から他方端２１２側にかけて前方または後方となる形状となるように構成してもよい。つまり、一または複数の演出部材を備える遊技機１において、一つの演出部材の装飾部が一方端側から他方端側にかけて前方または後方となる形状を有する構成としてもよい。
【００３２】
上記実施形態では、上記第一演出部材１０および第二演出部材２０は、上下方向にスライド動作するものであることを説明したが、両演出部材が近接して一体的な演出形態を構築することができるものであれば、移動の態様はどのようなものであってもよい。また、両演出部材に設けられる装飾部の装飾態様はどのようなものであってもよい。
【００３３】
上記実施形態では、第一演出部材１０の第一装飾部１１、第二演出部材２０の第二装飾部２１は、一方端から他方端にかけて階段状に前方または後方に変位する形状であることを説明したが、図５に示す演出部材１０’、２０’のように、装飾部１１’、２１’が一方端から他方端にかけて傾斜する形状としてもよい。なお、「傾斜」には、図５に示すような直線状に変位する形状だけでなく、曲線状に変位する形状を含む。
以下、上記実施形態から得られる具体的手段（遊技機）を列挙する。
手段１にかかる遊技機は、前側に第一装飾部が設けられた第一演出部材と、前記第一演出部材と近接する位置に位置することで、当該第一演出部材と一体的な演出形態を構築することが可能であり、前側に第二装飾部が設けられた第二演出部材と、を備え、前記第一装飾部は、その前後方向位置が、一方端側から他方端側にかけて後方となる形状であり、前記第二装飾部は、その前後方向位置が、一方端側から他方端側にかけて前方となる形状であることを特徴とする。
手段２にかかる遊技機は、手段１に記載の遊技機において、前記第一装飾部の一方端は、前記第二装飾部の一方端よりも前方に位置し、前記第一装飾部の他方端は、前記第二装飾部の他方端よりも後方に位置することを特徴とする。
手段３にかかる遊技機は、手段２に記載の遊技機において、前記第二装飾部は、その一方端側に、前記第一装飾部側に突出した突出部を含み、前記一体的な演出形態が構築された状態において、前記第二装飾部の前記突出部と前記第一装飾部が所定方向に並ぶことを特徴とする。
手段４にかかる遊技機は、前側に装飾部が設けられた演出部材を備え、前記装飾部は、その前後方向位置が、一方端側から他方端側にかけて後方となる形状であることを特徴とする。
手段１の遊技機は、第一装飾部の前後方向位置が、一方端側から他方端側にかけて後方となり、第二装飾部の前後方向位置が、一方端側から他方端側にかけて前方となるように構成されている。つまり、両装飾部は、一方（他方）から他方（一方）にかけてだんだんと前方にせり出すまたは後方に引いていく形状であるため、真正面以外の方向から見たときの外観を立体感のあるものとすることが可能である。また、第一装飾部と第二装飾部の一方から他方にかけての位置の変化が逆であるため、両者が近接した一体的な演出形態が構築された際、当該演出形態を真正面以外の方向から見たときの態様を面白みのあるものとすることが可能である。このように、真正面以外の方向からの見た目（外観）を向上させることが可能である。
手段２の遊技機のように、第一装飾部の一方端が第二装飾部の一方端よりも前方に位置し、第一装飾部の他方端が第二装飾部の他方端よりも後方に位置する、すなわち、前後方向において両装飾部が交差するような態様とすれば、両者が近接した一体的な演出形態が構築された際、当該演出形態を真正面以外の方向から見たときの態様をさらに面白みのあるものとすることが可能である。
手段３の遊技機のように、一体的な演出形態が構築された状態において第二装飾部の突出部と第一装飾部が所定方向に並ぶようにすれば、第二装飾部の突出部と第一装飾部の一方端との間で段差が生じるから、一体的な演出形態の外観の立体感をさらに向上させることが可能である。
手段４の遊技機は、装飾部の前後方向位置が、一方端側から他方端側にかけて後方となるように構成されている。つまり、装飾部は、一方（他方）から他方（一方）にかけてだんだんと後方に引いていく（前方にせり出していく）形状であるため、真正面以外の方向から見たときの外観を立体感のあるものとすることが可能である。
【符号の説明】
【００３４】
１  遊技機
１０  第一演出部材
１１  第一装飾部
１１１  （第一装飾部の）一方端
１１２  （第一装飾部の）他方端
２０  第二演出部材
２１  第二装飾部
２１１  （第二装飾部の）一方端
２１１ａ  突出部
２１２  （第二装飾部の）他方端
【図１】
0006040447.tif 000002
【図２】
0006040447.tif 000003
【図３】
0006040447.tif 000004
【図４】
0006040447.tif 000005
【図５】
0006040447.tif 000006